(57)【要約】【課題】建物開口部のサッシ枠に対して、専門的な施工技術を有しない一般需要者であっても、簡単に網戸を取り付けることを可能とする網戸の取付構造及びその網戸を提供する。【解決手段】新設する網戸１の網戸枠２に、既設サッシ枠２０の内周側に突接された縁部２２の被係合部２２ｂに室内側から係合するストッパ片７と、該縁部２２に対して室外側から弾性的に当接する弾性部材５とを設け、上記ストッパ片７が、網戸枠２に取り付けられる基端部７ａと、上記縁部２２に係合される鉤形状の先端部７ｂとを有しており、ストッパ片７が上記縁部２２に係合されて、上記網戸１がサッシ枠２０に装着された状態において、弾性部材５が網戸枠２とサッシ枠２０の縁部２２との間で弾性変形し、その弾発力によって網戸枠２がサッシ枠２０に対して固定される。【選択図】図４
2016017303.tif 000002
【特許請求の範囲】
【請求項１】
既設のサッシ枠に装設された障子よりも室外側に固定する網戸の取付構造であって、
上記網戸が、上下及び左右の枠部材を枠組みしてなる網戸枠を有し、
上記網戸枠に、サッシ枠の内周に突設された縁部に対し室内側から当接して係合するストッパ片と、上記サッシ枠に対して弾性的に当接する弾性部材とを設け、
上記ストッパ片が上記縁部に係合して、上記網戸が上記サッシ枠に対し装着された状態において、上記弾性部材が、上記サッシ枠に対し室外側から当接して弾性変形しており、その弾発力により、上記網戸枠が上記サッシ枠に対し固定されている、
ことを特徴とする網戸の取付構造。
【請求項２】
上記ストッパ片が、上記サッシ枠の内周に突設された縁部に対し室内側から当接して係合した状態において、上記弾性部材が、上記サッシ枠の縁部における内周端面と室外側面とが交わる部分に対し当接している、
ことを特徴とする請求項１に記載の網戸の取付構造。
【請求項３】
上記弾性部材は、網戸枠の外周端面から凸状に湾曲して突き出した板ばねから成っている、
ことを特徴とする請求項１又は請求項２に記載の網戸の取付構造。
【請求項４】
上記ストッパ片は、網戸枠の外周に固定的に取り付けられており、上記網戸を、サッシ枠に対して室内側から室外側へと押圧して、上記弾性部材を縁部の内周端面と網戸枠の外周端面との間で弾性変形させ、さらに、ストッパ片の先端部がサッシ枠の縁部に係合するまで押し込んだときに、上記弾性部材が上記縁部を乗り越えることにより、該サッシ枠に対して網戸枠が固定される、
ことを特徴とする請求項３に記載の網戸の取付構造。
【請求項５】
上記弾性部材は、網戸枠の室内側壁面に設けられた樹脂体であって、上記縁部の室外側面に当接するように該室外側面に臨んで配置される、
ことを特徴とする請求項１又は請求項２に記載の網戸の取付構造。
【請求項６】
上記ストッパ片は、網戸枠の室内側壁面に対して回動自在に取り付けられており、上記網戸を、サッシ枠に対して室外側から室内側へと押圧して、上記弾性部材を上記縁部の室外側面と上記網戸枠の室内側壁面との間で弾性変形させ、さらに、上記ストッパ片を回動させてその先端部をサッシ枠の縁部に係合させた状態で、該ストッパ片を網戸枠の室内側壁面に固定することにより、該先端部の係合状態が保持され、上記サッシ枠に対して上記網戸枠が固定される、
ことを特徴とする請求項５に記載の網戸の取付構造。
【請求項７】
上記ストッパ片の基端部を回動自在に支持する軸部とネジ溝が刻設されたネジ孔とを有するストッパ支持部材が、上記網戸枠の室内側壁面に設けられ、上記ストッパ片の基端部に貫通孔が開設されており、固定ネジがストッパ片の貫通孔に挿通されてネジ孔に螺合されることで、上記ストッパ片が上記ストッパ支持部材を介して上記網戸枠の室内側壁面に固定される、
ことを特徴とする請求項６に記載の網戸の取付構造。
【請求項８】
請求項１−７の何れか１項に記載の取付構造において用いられる網戸。
【発明の詳細な説明】
【技術分野】
【０００１】
本発明は、建物開口部の既設のサッシ枠に対して、後付けで取り付けられるようにした網戸の取付構造及びその網戸に関するものである。
【背景技術】
【０００２】
従来から、建物開口部の既存のサッシ枠の一部を利用して、該サッシ枠に新設の網戸を設置することは既に知られている（例えば、特許文献１参照）。このような後付けで網戸を設置する場合、サッシ枠に装設された障子が内開き式に開閉される内開き窓に対しては、障子の開閉に支障がないように、網戸を障子よりも室外側に嵌め殺し状態に取け付けることが一般的に行われている。
【０００３】
ところで、サッシ枠の室外側に網戸を取り付ける場合、上記特許文献１に開示されたものは、網戸に配した金具（筒体１１）に嵌合される別の金具（軸棒１２）を既設サッシ枠に取り付けるというような、網戸設置の為の加工を当該サッシ枠に施す必要があった。このため、サッシ枠に対する網戸の取付作業には、施工業者等の専門的な施工技術を要し、一般需要者が簡単に取り付けられないという問題があると共に、既設サッシ枠に加工を施すことにより該サッシ枠に疵が付いてしまうという問題もある。
なお、本発明に関連する先行技術文献としては、特許文献２のようなものが挙げられる。
【先行技術文献】
【特許文献】
【０００４】
【特許文献１】特開２００１−１９３３７２号公報
【特許文献２】特開平８−３２６４５０号公報
【発明の概要】
【発明が解決しようとする課題】
【０００５】
そこで、本発明の技術的課題は、建物開口部の既設のサッシ枠に対して、専門的な施工技術を有しない一般需要者であっても、簡単に網戸を取り付けることを可能とする網戸の取付構造及びその網戸を提供することにある。
【課題を解決するための手段】
【０００６】
上記目的を達成するため、本発明によれば、既設のサッシ枠に装設された障子よりも室外側に固定する網戸の取付構造であって、上記網戸が、上下及び左右の枠部材を枠組みしてなる網戸枠を有し、上記網戸枠に、サッシ枠の内周に突設された縁部に対し室内側から当接して係合するストッパ片と、上記サッシ枠に対して弾性的に当接する弾性部材とを設け、上記ストッパ片が上記縁部に係合して、上記網戸が上記サッシ枠に対し装着された状態において、上記弾性部材が、上記サッシ枠に対し室外側から当接して弾性変形しており、その弾発力により、上記網戸枠が上記サッシ枠に対し固定されていることを特徴とする網戸の取付構造が提供される。
【０００７】
このとき、好ましくは、上記ストッパ片が、上記サッシ枠の内周に突設された縁部に対し室内側から当接して係合した状態において、上記弾性部材が、上記サッシ枠の縁部における内周端面と室外側面とが交わる部分に対し当接している。
【０００８】
本発明の好ましい実施形態においては、上記弾性部材は、網戸枠の外周端面から凸状に湾曲して突き出した板ばねから成っている。
この場合、上記ストッパ片は、網戸枠の外周に固定的に取り付けられており、上記網戸を、サッシ枠に対して室内側から室外側へと押圧して、上記弾性部材を縁部の内周端面と網戸枠の外周端面との間で弾性変形させ、さらに、ストッパ片の先端部がサッシ枠の縁部に係合するまで押し込んだときに、上記弾性部材が上記縁部を乗り越えることにより、該サッシ枠に対して網戸枠が固定されることが望ましい。
【０００９】
本発明の好ましい他の実施形態においては、上記弾性部材は、網戸枠の室内側壁面に設けられた樹脂体であって、上記縁部の室外側面に当接するように該室外側面に臨んで配置される。
この場合、上記ストッパ片は、網戸枠の室内側壁面に対して回動自在に取り付けられており、上記網戸を、サッシ枠に対して室外側から室内側へと押圧して、上記弾性部材を上記縁部の室外側面と上記網戸枠の室内側壁面との間で弾性変形させ、さらに、上記ストッパ片を回動させてその先端部をサッシ枠の縁部に係合させた状態で、該ストッパ片を網戸枠の室内側壁面に固定することにより、該先端部の係合状態が保持され、上記サッシ枠に対して上記網戸枠が固定されることが望ましい。
さらに、そのとき、上記ストッパ片の基端部を回動自在に支持する軸部とネジ溝が刻設されたネジ孔とを有するストッパ支持部材が、上記網戸枠の室内側壁面に設けられ、上記ストッパ片の基端部に貫通孔が開設されており、固定ネジがストッパ片の貫通孔に挿通されてネジ孔に螺合されることで、上記ストッパ片が上記ストッパ支持部材を介して上記網戸枠の室内側壁面に固定されるとより望ましい。
【００１０】
なお、本発明によれば、上記取付構造において用いられる上記網戸が提供される。
【発明の効果】
【００１１】
本発明によれば、網戸を建物開口部の既設のサッシ枠に取り付けるのに際し、専門的な施工技術を必要とせず、一般需要者であっても簡単に取り付けることが可能である。また、サッシ枠に対するストッパ片の室内側からの係合と、該サッシ枠に対し室外側から作用する弾性部材の弾発力との相乗作用により、網戸がサッシ枠に対してしっかりと固定され、しかも、該網戸枠がサッシ枠から外れて室外に脱落するのを防止することができる。
【図面の簡単な説明】
【００１２】
【図１】本発明の第１の実施形態に係る取付構造における網戸を示す外観斜視図である。（ａ）は、該網戸を室外側から見た状態、（ｂ）は、該網戸を室内側から見た状態をそれぞれ示している。
【図２】第１の実施形態における弾性部材を示す斜視図である。
【図３】第１の実施形態におけるストッパ片を示す斜視図である。
【図４】サッシ枠と網戸枠との係合状態を示す概略的な要部拡大断面図である。（ａ）は、網戸をサッシ枠に対し取り付けている途中の状態、（ｂ）は、該網戸をサッシ枠に取り付け終わった状態をそれぞれ示していている。
【図５】サッシ枠に網戸を取り付けた状態を示す概略的な縦断面図である。
【図６】同じく概略的な横断面図である。
【図７】サッシ枠に網戸を取り付けた状態を示す外観斜視図である。（ａ）は、室外側から見た状態、（ｂ）は、室内側からみた状態をそれぞれ示している。
【図８】本発明の第２の実施形態に係る取付構造において、サッシ枠と網戸枠との係合状態を示す概略的な要部拡大断面図である。（ａ）は、網戸をサッシ枠に対し取り付けている途中の状態、（ｂ）は、該網戸をサッシ枠に取り付け終わった状態をそれぞれ示していている。
【図９】第２の実施形態におけるストッパ片を示している。（ａ）は、その側面図、（ｂ）は、その正面図である。
【図１０】第２の実施形態におけるストッパ支持部材を示している。（ａ）は、その平面図、（ｂ）は、その正面図である。
【図１１】ストッパ片をストッパ支持部材に固定させた状態を示す概略図である。（ａ）は、その側面図、（ｂ）は、その平面図である。
【発明を実施するための形態】
【００１３】
以下に、本発明に係る網戸の取付構造の実施形態について、図面を用いて詳細に説明する。
図１−図７は、本発明に係る網戸の取付構造の第１の実施形態を示している。本実施形態の網戸の取付構造は、図５−図７のように、建物開口部の既設のサッシ枠２０に装設された障子２１の室外側において、該サッシ枠２０の内周側に延びる縁部２２を利用して、網戸１を該サッシ枠２０に嵌め殺し状に取り付けられるようにしたものである。既に装設されている障子２１としては、例えば、上下及び左右の框部材を四周框組みした内部に、ガラスパネル等のパネル体が嵌込まれているものであって、建物開口部に固定されたサッシ枠２０に、内開き式に開閉自在に支持されているものが挙げられる。
本実施形態の網戸の取付構造は、室内側から網戸１が取り付けられるものであることから、取付作業の安全性の確保という観点から、特に、中高層階の住居の開口部に後付けで設置するのに適している。
【００１４】
図１（ａ）及び図１（ｂ）に示すように、上記網戸１は、上下及び左右の枠部材２ａ−２ｄを四周枠組みして成る網戸枠２を有しており、該網戸枠２内に網体３を納めて構成されている。図５及び図６のように、上記網体３は、この網戸枠２における内周に形成された係止用溝１４に押さえ部材１５と共に押入することにより、その周辺を該網戸枠２に固定されて張設されている。また、上記網戸枠２は、連結部材４によってその四隅が連結されている。本実施形態においては、網戸枠２の外形寸法（縦横長さ）は、サッシ枠２０の内周縁部２２で区画された開口寸法（縦横長さ）よりもやや小さく形成され、その開口を通じて室内外へと出し入れすることができるようになっている。
【００１５】
上記網戸枠２を建物開口部のサッシ枠２０における障子２１よりも室外側に取り付けるため、該網戸枠２には、既設サッシ枠２０の内周側に突設された縁部２２に対して弾性的に当接させる弾性部材５と、この縁部２２に室内側から係合するストッパ片７とが設けられる。
上記弾性部材５は、網戸枠２の外周端面１３から外側に突出した板ばねから成っている。具体的には、上記弾性部材５は、例えばステンレス等の金属から成るもので、図２に示すように、平板状の基部５ａと、該基部５ａの一端から折り返されて略円弧状に湾曲形成されたばね部５ｂとを有している。
【００１６】
上記基部５ａには、該基部５ａの幅方向両端部に取付孔６，６が穿設されていて、図４に示すように、取付孔６，６に取付ネジ１２を挿通して、網戸枠２の外周端面１３にネジ止めされるようになっている。また、上記ばね部５ｂは、該基部５ａよりも狭幅に形成されており、上記基部５ａとは逆側に頂部を有する凸形状を成している。そして、該弾性部材５は、上記基部５ａとばね部５ｂとの折り返し部分を室外側に向け、かつ、湾曲したばね部５ｂを外周方向に突出させた状態で、上記網戸枠２の外周端面１３上に固定されている。
なお、上記、弾性部材５は、上記枠部材２ａ−２ｄのうち少なくとも対向する一対の枠部材に対し取り付けられるもので、本実施形態では、図１（ａ）及び図１（ｂ）に示すように、上下の枠部材２ａ，２ｂに対しそれぞれ２つの弾性部材５，５が取り付けられている。
【００１７】
上記ストッパ片７は、上記弾性部材５と同様な金属製の弾性体から成るものであって、図３に示すように、網戸枠２に取り付けられる基端部７ａと、サッシ枠２０の縁部２２に係合される鉤形状（略Ｕ字形状）の先端部７ｂとを有し、全体的には側面視略Ｌ字状に形成されている。
上記基端部７ａは平板状に形成されており、その幅方向両側に取付孔８，８が穿設されていて、図４のように、該取付孔８，８に取付ネジ１２を挿通して、網戸枠２の外周端面１３にネジ止めされる。そのとき、該ストッパ片７は、上記先端部７ｂが基端部７ａよりも室内側に配置されるように、上記網戸枠２の外周端面１３上に固定される。また、このストッパ片７は、基端部７ａから先端部７ｂに至るまで同一幅に形成されている。本実施形態では、図１に示すように、４つの各枠部材２ａ−２ｄに対してそれぞれ２つのストッパ片が取り付けられており、上下の枠部材２ａ，２ｂには、弾性部材５と横並びの位置にそれぞれ配置されている。
【００１８】
また、上記先端部７ｂは、基端部７ａと一つの段部を介して連接され該基端部７ａに平行を成して延びる延設面９と、該延設面９から略垂直方向に立設された係合面１０と、該係合面１０から基端部７ｂ方向に折り曲げられた傾斜面１１とを有している。そうすることで、図４（ｂ）に示すように、網戸１をサッシ枠２０に取り付けた際に、先端部７ｂの上記係合面１０が、サッシ枠２０の縁部２２の被係合部２２ｂに設けられた後述のクッション部材２３に面で当接されるようになっている。上記係合面１０の立設長さについては、クッション部材２３の幅方向長さ（図４の上下方向長さ）よりも僅かに長く形成され、該係合面１０のほぼ全面が当接される。
【００１９】
図４に示すように、上記サッシ枠２０に突設された縁部２２は、その先端を室内方向に略Ｌ字状に屈折させて形成されており、サッシ枠２０の内周に全周に亘って設けられている。そして、本実施形態では、その先端において、室内側に臨んで開設された係止溝２４にクッション部材２３を取り付けた部分により、上記被係合部２２ｂが形成されている。すなわち、この被係合部２２ｂは、上記障子２１を閉じた状態において、該障子２１の枠と上記サッシ枠２０の縁部２２とを緩衝的に当接させ、両者の間をシールするために既設された当接部を利用したものである。
【００２０】
このクッション部材２３は、例えば、ゴム等の弾性体から成るものであって、上記係止溝２４の開口部における内向きに対抗する突縁により係止されて、該係止溝２４に固定されている。これら係止溝２４とクッション材２３とから成る被係合部２２ｂは、上記縁部２２の全体、すなわちサッシ枠２０の内周に全周に亘って設けられており、上記ストッパ片７の先端部７ｂを縁部２２の被係合部２２ｂに係合させた際に、該ストッパ片７の先端部７ｂと縁部２２とが緩衝的に当接されるようになっている。
なお、このクッション部材２３は、必ずしも本実施形態のように被係合部２２ｂに設けられる必要性はなく、室内側に取り付けられた障子２１の枠に設けることもできる。その場合、障子２１を閉じた際に、障子２１の枠とストッパ片７との直接的な接触を防止することができる。さらに、該クッション部材２３は、上記被係合部２２ｂと障子２１の枠の双方に配設されていてもよい。
【００２１】
図１及び図４に示されるように、上記網戸枠２には、該網戸枠２とサッシ枠２０との間の隙間を閉じる閉隙材１６が配設されている。本実施形態において、この閉隙材１６は、網戸枠２の外周端面１３の係合溝１７に装着されたモヘアによって形成されており、網戸枠２の外周端面１３と上記縁部２２の内周端面２２ａとの隙間をこの閉隙材１６で閉じるように構成されている。そうすることにより、既設サッシ枠２０に網戸１を装着した際に、上記隙間から虫や塵埃等が室内側へ侵入するのを抑止することができるようになっている。なお、閉隙材１６は、上記弾性部材５およびストッパ片７が取り付けられた部分を除いて、網戸枠２の外周端面１３に全周に亘って設けられている。
【００２２】
本実施形態において、上記網戸１を上記サッシ枠２０における障子２１の室外側に取け付けるにあたっては、該障子２１を全開放状態にした後、網戸１をサッシ枠２０に対して室内側から押し込んでいく。そうすると、上記ばね部５ｂの頂部よりも室外側の傾斜部位が、サッシ枠２０の縁部２２に対し室内側から当接することにより、該ばね部５ｂが撓んでいく（すなわち、ばね部５ｂが基部５ａ側に倒れていき）。その結果、図４（ａ）に示すように、上記ばね部５ｂが、上記縁部２２の内周端面２２ａと網戸枠２の外周端面１３との間に弾性変形した状態で圧入される。このとき、撓んだばね部５ｂの頂部は上記内周端面２２ａに摺接している。
【００２３】
そして、図４（ｂ）のように、上記網戸１を、上記ストッパ片７の係合面１０がクッション部材２３に当接して、その先端部７ｂが上記縁部２２の被係合部２２ｂに対し室内側から係合するまで押し込むと、上記弾性部材５とストッパ片７とにより網戸枠２の室内外方向への移動がそれぞれ拘束された状態となり、その結果、サッシ枠２０に対し網戸１が固定される。この固定状態においては、図４（ａ）の取付過程で一旦撓んだばね部５ｂの頂部が上記縁部２２を室外側に乗り越えることにより、その撓みが一部復帰した状態となり、上記縁部２２における内周端面２２ａと室外側面２２ｃとが交わる角部に、上記ばね部５ｂの頂部よりも室内側の傾斜部位が弾発力を伴って当接している。
【００２４】
そのため、上記網戸枠２は、上記弾発力により、上記サッシ枠２０の縁部２２に対し上下方向には突っ張った状態で保持されると同時に、室外方向すなわち上記ストッパ片７の先端部７ｂを上記縁部２２の被係合部２２ｂに係合させる方向に付勢されている。また、室内方向には、上述したように、上記ばね部５ｂの頂部よりも室内側の傾斜部位が、上記縁部２２に対し室外側から当接し係合されている。
なお、図４（ｂ）中、一点鎖線は、弾性変形前のバネ部５ｂの状態（自然状態）を示す仮想線である。
【００２５】
このように、本実施形態の取付構造によれば、既設サッシ枠２０に対して後付けで網戸１を取り付けるにあたって、加工作業を要することなく、該網戸１を室内側からサッシ枠２０内に押し込むだけで取り付けることが可能である。そのため、例えば、施工対象箇所が中高層階の住居の開口部の場合でも、専門的な施工技術を有しない一般需要者が容易且つ安全に取り付けることが可能である。しかも、上記サッシ枠２０の縁部２２に対するストッパ片７の室内側からの係合と、該サッシ枠２０の縁部２２に対し室外側から作用する上記弾性部材５の弾発力との相乗作用により、上記網戸１がサッシ枠２０に対してしっかりと固定される。そのため、サッシ枠２０に装着された網戸１に対し、室内側から室外方向または室外側から室内方向へ例えば風圧等の力が作用したとしても、網戸１ががたついたりサッシ枠２０から脱落したりするのを防止することができる。
【００２６】
なお、本実施形態では、図１に示すように、上記弾性部材５を、一方の対向する２つの枠部材（上枠部材２ａ及び下枠部材２ｂ）に対して配置されているが、これに限らず、他方の対向する２つの枠部材（右枠部材２ｃ及び左枠部材２ｄ）に対して配置されていてもよく、または４つの枠部材２ａ−２ｄに配置されていてもよい。
【００２７】
次に、図８−図１１に基づき、本発明の第２実施形態について説明する。ただし、ここでは説明の重複を避けるため、上記第１の実施形態と同じ構成部分及びそれに基づく作用効果については、同じ符号を付して、詳細な説明を省略する。
第２の実施形態に係る網戸の取付構造においては、既設サッシ枠２０に対して室外側から網戸１を取り付ける為のもので、例えば、低層階の住居の開口部に後付けで網戸１を取り付けるのに適しているものである。本実施形態では、網戸枠３０の外形寸法が、上記サッシ枠２０の縁部２２の内周端面２２ａで区画された内周寸法よりも大きく形成されている。また、本実施形態における弾性部材３２及びストッパ片３４は、図８に示すように、上記網戸枠３０の室内側壁面３１に配置されている。なお、弾性部材３２及びストッパ片３４は、上記第１の実施形態と同様に、網戸枠３０を形成する枠部材のうち、一方の対向する枠部材（例えば、上枠部材及び下枠部材）に対して設けられているものとする。
【００２８】
上記弾性部材３２は、上記室内側壁面３１に設けられた樹脂体から成るものであって、上記網戸枠３０をサッシ枠２０に装着した時に、上記縁部２２の室外側面２２ｃに当接するように、該室外側面２２ｃに臨んで配置されている。この弾性部材３２を形成する樹脂としては、例えば、軟質ポリ塩化ビニール（Ｓ−ＰＶＣ）が用いられる。この弾性部材３２は、図８に示すように、中心角が直角の略扇形の横断面を有する中空の筒状に形成されたものであり、その孤面３３が上記縁部２２の室外側面２２ｃに向けて配されている。また、本実施形態において、この弾性部材３２は、該弾性部材３２が取り付けられた枠部材の長さと略同一の長さに形成されているものとする。
【００２９】
図８に示すように、本実施形態におけるストッパ片３４は、上記弾性部材３２よりも枠部材の内周側に配置されると共に、網戸枠３０の室内側壁面３１に対して回動自在に取り付けられている。
図９に基づいてより具体的に説明すると、該ストッパ片３４は、網戸枠３０に取り付けられる基端部３４ａと、サッシ枠２０の縁部２２に対し室内側から係合する鉤形状（略Ｕ字形状）の先端部３４ｂとを有している。上記先端部３４ｂは、基端部３４ａに段部を介して連接されて該基端部３４ａと略垂直方向に延びる延設面３５と、該延設面３５から略垂直方向に立設されて基端部３４ａと平行に延びる係合面３６と、該係合面３６から基端部３４ａ側に折り曲げられた傾斜面３７とを有している。上記ストッパ片３４は、その基端部３４ａの端部が丸められた軸受部３８に形成され、図９（ｂ）に示すように、該軸受部３８は、中央の切欠部３９を挟んだ幅方向の両側に設けられている。また、基端部３４ａの幅方向の略中央位置には、その板厚方向に貫通孔４０が穿設されている。
【００３０】
一方、図８に示すように、上記網戸枠３０の室内側壁面３１には嵌合溝４１が設けられており、この嵌合溝４１内にストッパ支持部材４２が装着されている。このストッパ支持部材４２は、上記ストッパ片３４の基端部３４ａの上記軸受部３８が回動自在に係合される軸部４３と、ネジ溝が刻設されたネジ孔４４とを有している。また、上記ストッパ支持部材４２の幅方向（図１０（ａ）における左右方向）の略中央位置には、平坦な当接面４５が設けられており、この当接面４５に上記ネジ孔４４が開設されている。さらに、図１１（ｂ）に示すように、この当接面４５の幅方向長さは、ストッパ片３４の基端部３４ａに形成された上記切欠部３９の幅方向長さよりも短く形成されていて、ストッパ片３４の軸受部３８を軸部４３周りに回動させたときに、上記基端部３４ａが当接面４５に当たって回動の妨げとならないように構成されている。
【００３１】
また、図１０に示すように、上記ストッパ支持部材４２は、上記当接面４５を挟んだ両側に、板厚方向に凹設された凹部４６，４６を有しており、この凹部４６，４６内に上記軸部４３が設けられている。そして、該軸部４３を支点としてストッパ片３４を回動させることにより、図１１に示すように、ストッパ片３４の基端部３４ａとストッパ支持部材４２の当接面４５とが面で当接した状態にすることができる。この状態で、ストッパ片３４の貫通孔４０とストッパ支持部材４２のネジ孔４４とが一致されるように形成されており、ローレットネジ等の固定ネジ４７を、上記貫通孔４０に挿通させてネジ孔４４に螺合させると、ストッパ片３４がストッパ支持部材４２に対して固定される。その結果、図８（ｂ）のように、該ストッパ片３４は、ストッパ支持部材４２を介して網戸枠３０の室内側壁面３１に固定されるように構成されている。
これらストッパ片３４とストッパ支持部材４２とは、枠部材の長手方向に沿って複数個所（例えば、２，３箇所）に設けられていてもよい。
【００３２】
なお、図８に示すように、網戸枠３０の室内側壁面３１には、弾性部材３２よりも外周側に閉隙材１６が配設されていて、該室内側壁面３１と、縁部２２の室外側面２２ｃとの隙間が閉じられるように成っている。
【００３３】
本実施形態において、上記網戸１を上記サッシ枠２０における障子２１の室外側に取け付けるにあたっては、図８（ａ）のように障子２１を全開放状態にした後、上記ストッパ片を回動可能な状態で、網戸１をサッシ枠２０に対して室外側から押し当てる。そうすると、図８（ｂ）に示すように、網戸枠３０における上下の枠部材の室内側壁面３１に取り付けられた弾性部材３２の弧面３３が、上記縁部２２における内周端面２２ａと室外側面２２ｃとが交わる角部に弾性変形（圧縮）を伴って押圧される。その結果、該角部に対し弾性部材３２が弾発力を伴って当接した状態となる。
【００３４】
そこで、上記ストッパ片３４を、上記ストッパ支持部材４２の軸部４３を支点として、その基端部３４ａが該ストッパ支持部材４２の当接面４５に当接される方向に回動させると、上記ストッパ片３４の先端部３４ｂが、上記縁部２２の被係合部２２ｂに室内側から係合した状態となる。そして、その状態で、該ストッパ片３４を、上記固定ネジ４７で網戸枠３０の室内側壁面３１に対し固定することにより、上記網戸枠３０がサッシ枠２０に対して固定される。
【００３５】
なお、本実施形態では、ストッパ片３４及び弾性部材３２を、上記第１の実施形態と同様に、一方の対向する２つの枠部材（上下の枠部材）に対して配置されていることとしたが、これに限らず、他方の対向する２つの枠部材（左右の枠部材）に対して配置されていてもよく、または上下左右の４つの枠部材に配置されていてもよい。また、網体３は、網戸枠３０をサッシ枠２０に対し固定してから、該網戸枠３０に対し装着するようにしても良く、網戸枠３０に網体３が装着された網戸１をサッシ枠２０に対し装着しても良い。
【００３６】
以上、本発明に係る網戸の取付構造について説明してきたが、本発明は上記の実施形態に限定されることなく、特許請求の範囲の趣旨を逸脱しない範囲で様々な設計変更が可能であることは言うまでもない。
【符号の説明】
【００３７】
１      網戸
２，３０      網戸枠
５，３２      弾性部材
７，３４      ストッパ片
７ａ，３４ａ  基端部
７ｂ，３４ｂ  先端部
１３      外周端面
１６      閉隙材
２０      サッシ枠
２１      障子
２２      縁部
２２ａ    内周端面
２２ｂ    被係合部
２２ｃ    室外側面
２３      クッション部材
３１      室内側壁面
４２      ストッパ支持部材
４３      軸部
４４      ネジ孔
４７      固定ネジ
【図１】
2016017303.tif 000003
【図２】
2016017303.tif 000004
【図３】
2016017303.tif 000005
【図４】
2016017303.tif 000006
【図５】
2016017303.tif 000007
【図６】
2016017303.tif 000008
【図７】
2016017303.tif 000009
【図８】
2016017303.tif 000010
【図９】
2016017303.tif 000011
【図１０】
2016017303.tif 000012
【図１１】
2016017303.tif 000013